(57)【要約】【課題】流量調整弁３０の弁本体３２を、モータ３４と一体回転する回転子３５ｃが正常領域に位置する状態で進退制御して的確な流量調整を行う流量調整装置において、正常領域を規定する各ホール素子に異常状態が発生して、回転子３５ｃが正常領域から異常領域に移行した場合、回転子３５ｃを正常領域への復帰と、異常状態にあるホール素子を容易に確認する。【解決手段】流量調整装置は、流量調整弁３０、流量調整弁３０の弁本体３２の進退を制御する制御装置２０ａ、および、回転子３５ｃの回転位置表示装置２０ｂを備え、制御装置２０ａは回転子３５ｃを異常領域から正常領域へ復帰させる手動の駆動手段２２，２３を備え、回転位置表示装置２０ｂは回転子３５ｃと各ホール素子３６ｂ，３６ｃとの現在の位置関係を表示する。【選択図】図７
2007107685.tif 000002
【特許請求の範囲】
【請求項１】
モータの駆動により進退して流路の開口を調整し同流路を流れる流体の流量を調整する弁本体と、前記モータによって回転する回転子の外周に沿って位置し同回転子の一方向への所定量の回転位置を検出する第１の位置検出素子と他方向への所定量の回転位置を検出する第２の位置検出素子を備え、前記第１の位置検出素子と前記第２の位置検出素子間を前記弁本体の通常の進退動作範囲とする流量調整装置であり、当該流量調整装置は、前記回転子が前記第１の位置検出素子側から前記第２の位置検出素子側へ正回転する場合に前記各位置検出素子にて検出される各回転位置を表示する正回転位置表示手段、および、前記回転子が前記第２の位置検出素子側から前記第１の位置検出素子側へ逆回転する場合に前記各位置検出素子にて検出される各回転位置を表示する逆回転位置表示手段を備えるとともに、前記回転子が正回転時に前記第１の位置検出素子の配設位置に達した場合には同回転子を逆方向へ回転させる駆動手段、および、前記回転子が逆回転時に前記第２の位置検出素子の配設位置に達した場合には同回転子を正方向へ回転させる駆動手段を備えていることを特徴とする流量調整装置。
【請求項２】
請求項１に記載の流量調整装置において、前記正回転位置表示手段による表示は、前記第２の位置検出素子位置、前記第１の位置検出素子位置、前記第２の位置検出素子位置、および第１の位置検出素子位置の４箇所位置表示であり、かつ、前記逆回転位置表示手段による表示は、前記第１の位置検出素子位置、前記第２の位置検出素子位置、前記第１の位置検出素子位置、および第２の位置検出素子位置の４箇所位置表示であることを特徴とする流量調整装置。
【発明の詳細な説明】
【技術分野】
【０００１】
本発明は、流量調整装置に関する。
【背景技術】
【０００２】
流量調整装置の一形式として、モータの駆動により進退して流路の開口を調整し同流路を流れる流体の流量を調整する弁本体と、前記モータにより回転する回転子の外周に沿って位置し同回転子の一方向への所定量の回転位置を検出する第１の位置検出素子と他方向への所定量の回転位置を検出する第２の位置検出素子を備え、前記第１の位置検出素子と前記第２の位置検出素子間を前記弁本体の通常の進退動作範囲とする形式の流量調整装置がある。
【０００３】
当該形式の流量調整装置においては、供給源から流体の処理装置等に対する供給管路の途中に介装されて、制御装置等により、前記弁本体の進退動作を通常の進退動作範囲内にて制御されて、処理装置等への流体の供給流量を設定された流量（設定流量）に制御すべく機能する。この場合、弁本体は、例えば、回転子の一方向への回転時には後退して流路の開口を拡大し、かつ、回転子の他方向への回転時には前進して流路の開口を縮小し、流量調整装置の流路を通して流通する供給流量を調整する。当該形式の流量調整装置は、例えば、有隔膜電解槽を備える電解水生成装置に装備され、有隔膜電解槽に対する被電解水の供給管路の途中に流量調整弁として介在される。当該流量調整弁においては、その弁本体の進退動作を制御装置によって制御されることにより、被電解水を調整するための原水の供給流量を設定された流量に調整すべく機能する（特許文献１を参照）。
【０００４】
当該形式の流量調整装置においては、各位置検出素子は、回転子の外周に沿って所定の間隔を保持して配設されているもので、回転子が一方向へ回転する場合には、第１の位置検出素子の配設位置から第２の位置検出装置の配設位置に至り、回転子がさらに回転すると、第１の位置検出素子の配設位置に達する。また、回転子が他方向へ回転する場合には、第２の位置検出素子の配設位置から第１の位置検出装置の配設位置に至り、回転子がさらに回転すると、第２の位置検出素子の配設位置に達する。図６には、上記した回転子の回転方向と各位置検出素子の位置関係を展開して示している。
【０００５】
図６に示す位置関係図では、第１の位置検出素子を素子Ａとするとともに、第２の位置検出素子を素子Ｂとし、かつ、回転方向Ｃを弁本体が後退して流路を拡大する開動作方向とするとともに、回転方向Ｄを弁本体が前進して流路を縮小する閉動作方向としている。当該位置関係図では、素子Ａ−素子Ａ間は回転子が３６０度回転する範囲であり、同様に、素子Ｂ−素子Ｂ間は回転子が３６０度回転する範囲であり、素子Ｂ−素子Ａ−素子Ｂ−素子Ａ間の素子Ａ−素子Ｂ間（正常領域）が弁本体の通常動作範囲に設定されていて、この通常動作範囲内にて弁本体の進退動作が制御されて、流量の調整がなされる。従って、制御装置は、回転子が素子Ａ位置からＣ方向へ回転して素子Ｂ位置に達した時点ではモータの駆動を停止し、回転子の素子Ｂ位置を越えて回転するのを規制するとともに、回転子が素子Ｂ位置からＤ方向へ回転して素子Ａ位置に達した時点ではモータに駆動を停止して、回転子の素子Ａを越えて回転するのを規制する。
【特許文献１】特開平１０−７１３９２号公報
【発明の開示】
【発明が解決しようとする課題】
【０００６】
ところで、当該形式の流量調整装置においては、前記弁本体の通常の進退動作範囲を規定する各位置検出素子はホール素子等の電子部品で構成されていて、位置検出信号を制御装置に電気的に出力するものである。従って、各位置検出素子が故障しまたは断線する等、位置検出素子に異常状態が発生して、制御装置に位置検出信号を出力し得なくなった場合には、例えば、図６の位置関係図に示す素子Ｂに異常状態が発生した場合には、Ｃ方向へ回転する回転子はＢ素子位置を越えて素子Ａ位置に達して異常領域１に至る。この場合には、素子Ａは、回転子が素子Ａ位置に達したことを検出して当該検出信号を制御装置に出力しても、制御装置は、回転子をＤ方向へ回転させる機能を備えていないことから、回転子を、素子Ｂ位置を越えて正常領域へ復帰させることは不可能である。
【０００７】
また、例えば、図６の位置関係図に示す素子Ａに異常状態が発生した場合には、Ｄ方向へ回転する回転子はＡ素子位置を越えて素子Ｂ位置に達して異常領域２に至る。この場合には、素子Ｂは、回転子が素子Ｂ位置に達したことを検出して当該検出信号を制御装置に出力しても、制御装置は、回転子をＣ方向へ回転させる機能を備えていないことから、回転子を、素子Ａ位置を越えて正常領域へ復帰させることは不可能である。
【０００８】
このように、素子Ｂに異常状態が発生した場合には、回転子は正常領域を越えて異常領域１に至り、また、素子Ａに異常状態が発生した場合には、回転子は正常領域を越えて異常領域２に至る。異常領域１は、流体の流量が多い領域であって、この異常領域１内では的確な流量調整をすることはできない。また、異常領域２は、流体の流量が少ない領域であって、この異常領域２内では的確な流量調整をすることはできない。
【０００９】
従って、当該形式の流量調整装置においては、各位置検出素子の少なくとも１個に異常状態が発生して位置検出が不能に陥った場合には、流量調整装置を装備している装置の運転をただちに停止して、流量調整装置を交換するか、流量調整装置における位置検出素子を点検してその異常を確認し、その故障や断線等を修理しなければならないとう問題がある。当該形式の流量調整装置においては、位置検出素子に故障や断線等の異常状態が発生した場合、これを視認等で確認することは不可能であり、異常状態の発生を確認するのに相当の時間遅れを生じるという問題がある。本発明の目的は、このような問題に対処することにある。
【課題を解決するための手段】
【００１０】
本発明は、流量調整装置に関する。本発明が適用対象とする流量調整装置は、モータの駆動により進退して流路の開口を調整し同流路を流れる流体の流量を調整する弁本体と、前記モータによって回転する回転子の外周に沿って位置し同回転子の一方向への所定量の回転位置を検出する第１の位置検出素子と他方向への所定量の回転位置を検出する第２の位置検出素子を備え、前記第１の位置検出素子と前記第２の位置検出素子間を前記弁本体の通常の進退動作範囲とする形式の流量調整装置である。
【００１１】
しかして、本発明に係る流量調整装置においては、前記回転子が前記第１の位置検出素子側から前記第２の位置検出素子側へ正回転する場合に前記各位置検出素子にて検出される各回転位置を表示する正回転位置表示手段、および、前記回転子が前記第２の位置検出素子側から前記第１の位置検出素子側へ逆回転する場合に前記各位置検出素子にて検出される各回転位置を表示する逆回転位置表示手段を備えるとともに、前記回転子が正回転時に前記第１の位置検出素子の配設位置に達した場合には同回転子を逆方向へ回転させる駆動手段、および、前記回転子が逆回転時に前記第２の位置検出素子の配設位置に達した場合には同回転子を正方向へ回転させる駆動手段を備えていることを特徴とするものである。
【００１２】
本発明に係る流量調整装置において、前記正回転位置表示手段による表示は、前記第２の位置検出素子位置、前記第１の位置検出素子位置、前記第２の位置検出素子位置、および第１の位置検出素子位置の４箇所位置表示とし、かつ、前記逆回転位置表示手段による表示は、前記第１の位置検出素子位置、前記第２の位置検出素子位置、前記第１の位置検出素子位置、および第２の位置検出素子位置の４箇所位置表示とすることができる。
【発明の効果】
【００１３】
本発明に係る流量調整装置においては、この種形式の従来の流量調整装置と同様に、第１の位置検出素子および第２の位置検出素子が正常な場合には、モータの駆動により回転する回転子の回転範囲は、正回転では第１の位置検出素子と第２の位置検出素子間に規制され、かつ、逆回転では第２の位置検出素子と第１の位置検出素子間に規制される。これにより、流量調整装置を構成する弁本体の進退は、図６に示す正常領域内で制御され、的確な流量調整がなされる。
【００１４】
しかして、本発明に係る流量調整装置において、この種形式の従来の流量調整装置と同様に、両位置検出素子の少なくとも１個に故障や断線等の異常状態が発生した場合には、回転子は異常状態にある位置検出素子による回転規制を解除されて異常領域内に至る。回転子が正回転している場合に、第２の位置検出素子に異常状態が発生している場合には、回転子は第２の位置検出素子の位置を越えて異常領域１（図６を参照）に至る。また、回転子が逆回転している場合に、第１の位置検出素子に異常状態が発生している場合には、回転子は第１の位置検出素子の位置を越えて異常領域２（図６を参照）に至る。
【００１５】
従来の流量調整装置においては、このような異常状態が発生しても、異常状態を直接確認する手段を備えていないことから異常状態の確認が時間的に遅れることになり、この間、不的確な流量調整が継続されることになって、流量調整された流体の使用者に種々に不具合を与えることになる。また、このような異常状態を確認し得た場合にあっても、異常領域１または異常領域２に位置している回転子を正常領域内に復帰させることはできず、異常状態を確認した後には流量調整装置の使用を停止して、流量調整装置を速やかに正常な流量調整装置と交換するか、異常状態にある位置検出素子を確認する点検を行い、確認後に修理しなければならない。
【００１６】
これに対して、本発明に係る流量調整装置においては、回転子の現在位置を表示する正回転位置表示手段および逆回転位置表示手段を備えていることから、これらの回転位置表示手段に基づいて回転子の現在の回転位置を知って、回転子が異常領域１，２にあるか否かを確認することができ、回転子が異常領域１または異常領域２にある場合には、モータを駆動させる各駆動手段のいずれかを使用して、回転子を、異常領域１から正常領域に、または、異常領域２から正常領域に復帰させることができる。これにより、当該流量調整装置においては、的確な流量調整の機能が復活し、所望の時間、当該流量調整装置の使用を継続することが可能となる。
【００１７】
また、当該流量調整装置においては、回転子の現在位置を視認により確認することができて、異常状態にある位置検出手段を視認によって確認することができる。これにより、当該流量調整装置に使用後に、異常状態にある位置検出素子を、正常な位置検出手素子段に交換する作業を容易に行うことができて、当該流量調整装置の修理を短時間に済ますことがでる利点がある。
【発明を実施するための最良の形態】
【００１８】
本発明は、流量調整装置に関する。本発明に係る流量調整装置は、モータの駆動により進退して流路の開口を調整し同流路を流れる流体の流量を調整する弁本体と、前記モータによって回転する回転子の外周に沿って位置し同回転子の一方向への所定量の回転位置を検出する第１の位置検出素子と他方向への所定量の回転位置を検出する第２の位置検出素子を備え、前記第１の位置検出素子と前記第２の位置検出素子間を前記弁本体の通常の進退動作範囲とする形式の流量調整装置である。図１には、本発明の一実施形態に係る流量調整装置を装備した電解水生成装置を示している。
【００１９】
当該電解水生成装置は、有隔膜電解槽を主体とする公知のもので、有隔膜電解槽１０ａの各電解室Ｒ1，Ｒ2に供給する被電解水を調製用原液である濃塩水を貯留する塩水タンク１０ｂを備えている。被電解水を調製する原液である濃塩水は、供給ポンプ１１の駆動によって被電解水の供給管路１２内に一定の供給流量で継続して供給され、被電解水の調製用原水として給水源から供給管路１２内に給水される水道水と混合して所定濃度の希薄塩水となる。供給管路１２内にて調製された希薄塩水は、被電解水として、有隔膜電解槽１０ａの各電解室Ｒ1，Ｒ2内に供給される。
【００２０】
当該電解水生成装置の電解運転においては、上記したように調製された所定濃度の希薄塩水が被電解水として各電解室Ｒ1，Ｒ2内に供給されるとともに、各電解室Ｒ1，Ｒ2内に配設されている各電極１３ａ，１３ｂに、直流電源１４から所定の電圧が印加される。これにより、被電解水は各電解室Ｒ１，Ｒ2内にて電解され、陽極側の電解室では電解生成酸性水が生成され、かつ、陰極側の電解室では電解生成アルカリ性水が生成される。電解室Ｒ1内にて生成された一方の電解生成水は導出管路１５ａを通して系外に導出され、かつ、電解室Ｒ2内にて生成された他方の電解生成水は導出管路１５ｂを通して系外に導出される。
【００２１】
なお、図１における符号１６ａは、被電解水の塩濃度を検出する塩濃度検出センサであり、塩濃度センサ１６ａは、検出した塩濃度を制御装置２０ａに出力する。制御装置２０ａは、入力された塩濃度に基づいて、被電解水の塩濃度をフィードバック制御する。また、符号１６ｂは電流検出センサであり、電解運転時の両電極１３ａ，１３ｂ間を流れる電解電流値を検出して、これを制御装置２０ａに出力する。また、符号１７ａはチェック弁であり、符号１７ｂは電磁開閉弁である。電磁開閉弁１７ｂは制御装置２０ａにて開閉制御されるもので、当該電解水生成装置の電解運転に際して開放されて、被電解水の調製用原水である水道水を供給管路１２に導入する。当該水道水は、供給管路１２の途中に介在させた給水流量調整弁３０を通して導入される。給水流量調整弁３０は、制御装置２０ａ、および、後述する回転子の位置表示装置２０ｂとともに、本発明の一実施形態に係る流量調整装置を構成する。
【００２２】
当該流量調整装置を構成する給水流量調整弁３０は、図２および図３に示すように、弁機構部３０ａと、弁機構部３０ａの弁本体を進退させる駆動機構部３０ｂとからなるもので、弁機構部３０ａを構成する弁ハウジング３１内には、図４に示すように流量検出センサ３０ｃが組込まれている。図４は、弁ハウジング３１を縦断した状態を示している。
【００２３】
弁機構部３０ａを構成する弁ハウジング３１は、Ｔ字状を呈する円筒体であって、内部に三叉路状の内孔（水平状の第１内孔３１ａと垂直状の第２内孔３１ｂ）を有し、第１内孔３１ａの一端からニードル状の弁本体３２がナット３３を介して挿入されている。弁本体３２は、ナット３３内を軸方向へ摺動可能に組付けられていて、後述する駆動機構部３０ｂを構成する電動モータによって、第１内孔３１ａ内を進退可能になっている。弁本体３２は、その先端部にキャップ状の弁体３２ａを備えている。
【００２４】
弁ハウジング３１においては、その第１内孔３１ａが第２内孔３１ｂと交差する交差部の下流側に、円環状の弁部３１ｃを備えている。当該弁部３１ｃは、弁本体３２の弁体３２ａに対向して位置している。これにより、弁ハウジング３１の内部は、第２内孔３１ｂから弁部３１ｃを経て第１内孔３１ａの他端部に至る給水流路になっている。弁本体３２の弁体３２ａは、弁本体３２の進退に応じて給水流路内の弁部３１ｃに対して進退し、弁本体３２が前進すると給水流路の開口が縮小され、弁本体３２が後退すると給水流路の開口が拡大される。弁本体３２を進退動作させる駆動機構部３０ｂについては、図５に模式的に示している。
【００２５】
駆動機構部３０ｂは、電動モータ３４と、弁本体３２の軸部に噛合して弁本体３２を進退動作させる駆動ギヤ３５ａと、駆動ギヤ３５ａと電動モータ３４の駆動軸間に介在する減速ギヤ列３５ｂにて構成されている。駆動ギヤ３５ａには、回転子３５ｃが同軸的に組付けられている。回転子３５ｃは、その一端側外周にマグネット３６ａを備え、かつ、モータケース側には、一対のホール素子３６ｂ，３６ｃが取付けられている。ホール素子３６ｂ，３６ｃは、本発明における位置検出素子に該当するもので、所定間隔を保持して配置されており、駆動ギヤ３５ａと一体回転する回転子３５ｃが図示矢印Ｃ1方向に回転して、マグネット３６ａホール素子３６ｃ側からがホール素子３６ｂに達すると、ホール素子３６ｂはマグネット３６ａを検知して、電動モータ３４のそれ以上の同方向への回転を停止させる。また、回転子３５ｃは、この状態から矢印Ｄ1方向へ回転して、マグネット３６ａがホール素子３６ｃに達すると、ホール素子３６ｃはマグネット３６ａを検知して、電動モータ３４のそれ以上の同方向への回転を停止させる。
【００２６】
すなわち、各ホール素子３６ｂ，３６ｃは一対で、駆動ギヤ３５ａの回転量を規制すべく機能し、電動モータ３４の駆動量を、回転子３５ｃのマグネット３６ａが各ホール素子３６ｂｃ，３６ｃに達する範囲内に規制している。電動モータ３４は、駆動することによって弁本体３２を進退させるが、弁本体３２の進退量は、回転体３５ｃのマグネット３６ａが各ホール素子３６ｂｃ，３６ｃに達する範囲内に規制される。回転子３５ｃの回転方向Ｃ1を弁本体３２が後退する方向であるとすれば、回転子３５ｃのマグネット３６ａが各ホール素子３６ｂに達した時点が弁本体３２の最大後退状態となって、給水流路の開口を最大限拡大した状態を形成することになる。また、回転子３５ｃの回転方向Ｄ1を弁本体３２が前進する方向であるとすれば、回転子３５ｃのマグネット３６ａが各ホール素子３６ｃに達した時点が弁本体３２の最大前進状態となって、給水流路の開口を最大限縮小した状態を形成することになる。
【００２７】
当該給水流量調整装置で採用している給水流量調整弁３０では、弁本体３２が最大限前進して給水流路の開口を最大限縮小した状態では所定の最少流量が確保されるように、かつ、弁本体３２が最大限後進して給水流路の開口を最大限拡大した状態では所定の最大流量が確保されるようにそれぞれ設定されている。従って、制御装置２０ａ、当該給水流量調整弁３０の弁本体３２を、上記の進退範囲内で進退制御して、被電解水の調整用原水である水道水の給水流量のフィードバック制御を行う。
【００２８】
流量検出センサ３０ｃは、弁ハウジング３１内の給水流路として機能する第２内孔３１ｂ内に組込まれている。流量検出センサ３０ｃは、ケース３７ａ内に回転可能に収容してなるロータ３７ｂと、ロータ３７ｂの回転数を検出する磁性体からなる検出部３８にて構成されている。ロータ３７ｂはケース３７ａ内に収容された状態で、弁ハウジング３１の内孔３１ｂ内に組込まれており、検出部３８は、第２内孔３１ｂの壁部の外側に取付けられている。当該流量検出センサ３０ｃにおいては、弁ハウジング３１の第２内孔３１ｂ内を流れる原水によりロータ３７ｂが回転し、検出部３８にてロータ３７ｂの回転数が検出される。検出されたロータ３７ｂの回転数は、制御装置２０ａに出力される。制御装置２０ａは、入力された回転数に基づいて給水流量を算出する。
【００２９】
制御装置２０ａは、流量検出センサ３０ｃにて検出された給水流量（ロータ３７ｂの回転数）に基づいて、弁本体３２の進退を制御して、給水源から給水流量調整弁３０を通して供給される原水の給水流量を設定給水流量に収斂させるフィードバック制御を行う。
【００３０】
しかして、当該流量調整装置においては、給水流量調整弁３０と制御装置２０ａの他に、回転子３５ｃの回転位置表示装置２０ｂを備えている。制御装置２０ａは、給水流量調整弁３０の駆動機構部３０ｂを構成する電動モータ３４を駆動する駆動回路を備えているとともに、当該駆動回路の駆動を指示する３個の第１スイッチ２１、第２スイッチ２２、第３スイッチ２３を備えている。第１スイッチ２１は、制御装置２０ａの動作を開始すべく機能するもので、当該電解水生成装置の電解運転の開始時にスイッチ操作されて、制御装置２０ａによる電動モータ３４の駆動が自動制御可能となる。第２スイッチ２２および第３スイッチ２３は、電動モータ３４の駆動を手動に切替えてスイッチ操作の間だけ、電動モータ３４を選択的に正転および逆転すべく機能するものである。第２スイッチ２２および第３スイッチ２３は、本発明におけるモータの駆動手段に該当する。
【００３１】
回転位置表示装置２０ｂは、各ホール素子３６ｂ，３６ｃにより検出される回転子３５ｃの回転位置を、制御装置２０ａを介して表示するディスプレー装置であって、図７に示すように、正回転位置表示手段［Ｏ−Ｘ］と逆回転位置表示手段［Ｃ−Ｙ］を備えている。正回転位置表示手段［Ｏ−Ｘ］は、ホール素子３６ｂを起点として、ホール素子３６ｂ位置［Ｏ−Ｏ］、ホール素子３６ｃ位置［Ｏ−Ｃ］、ホール素子３６ｂ位置［Ｏ−Ｏ］、ホール素子３６ｃ位置［Ｏ−Ｃ］の４箇所表示であり、また、逆回転位置表示手段［Ｃ−Ｙ］は、ホール素子３６ｃを起点として、ホール素子３６ｃ位置［Ｃ−Ｃ］、ホール素子３６ｂ位置［Ｃ−Ｏ］、ホール素子３６ｃ位置［Ｃ−Ｃ］、ホール素子３６ｂ位置［Ｃ−Ｏ］の４箇所表示である。
【００３２】
当該回転位置表示装置２０ｂにおいては、回転子３５ｃが制御領域中の正常領域にある場合には、［Ｏ−Ｃ］〜［Ｏ−Ｏ］，［Ｃ−Ｃ］〜［Ｃ−Ｏ］表示され、異常領域１にある場合には、［Ｏ−Ｏ］〜［Ｏ−Ｃ］，［Ｃ−Ｏ］〜［Ｃ−Ｃ］表示され、かつ、異常領域２にある場合には、［Ｏ−Ｏ］〜［Ｏ−Ｃ］，［Ｃ−Ｏ］〜［Ｃ−Ｃ］表示される。当該位置表示を視認すれば、回転子３５ｃの現在位置を確認することができる。また、回転子３５ｃが異常領域１に位置している場合には、ホール素子３６ｂに異常が発生していることを確認することがで、かつ、回転子３５ｃが異常領域２に位置している場合には、ホール素子３６ｃに異常が発生していることを確認することができる。
【００３３】
当該流量調整装置においては、給水流量調整弁３０を図１に示すように、電解水生成装置の供給管路１２に介装されて使用され、制御装置２０ａは、給水流量調整弁３０の弁機構部３０ａを構成する弁本体３２の進退動作を、流量検出センサ３０ｃによる検出流量に基づいて制御して、原水の供給流量を設定流量になるようにフィードバック制御する。当該フィードバック制御は、各ホール素子３６ｂ，３６ｃの位置検出機能により、回転子３５ｃが図７に示す正常領域に位置するように規制された範囲で行われる。これにより、制御装置２０ａは、給水流量調整弁３０の弁本体３２の進退動作を的確に制御して、原水の給水流量を設定流量に的確に調整する。この間、回転位置表示装置２０ｂは、回転子３５ｃの回転位置を表示する。
【００３４】
ところで、本発明に係る流量調整装置において、この種形式の従来の流量調整装置と同様に、位置検出素子であるホール素子３６ｂ，３６ｃの少なくとも１個に故障や断線等の異常状態が発生した場合には、回転子３５ｃは異常状態にあるホール素子による回転規制を解除されて異常領域内に至る。回転子３５ｃが正回転（Ｃ1方向）している場合に、ホール素子３６ｂに異常状態が発生している場合には、回転子３５ｃはホール素子３６ｂの位置を越えて異常領域１（図７を参照）に至る。また、回転子３５ｃが逆回転（Ｄ1方向）している場合に、ホール素子３６ｃに異常状態が発生している場合には、回転子３５ｃはホール素子３６ｃの位置を越えて異常領域２（図７を参照）に至る。
【００３５】
従来の流量調整装置においては、このような異常状態が発生しても、異常状態を直接確認する手段を備えていないことから、異常状態の確認が時間的に相当遅れることになり、この間、不的確な流量調整が継続して行われることになって、給水流量を設定流量に調整された原水を要請されている電解水生成装置にとっては、生成される電解生成水の特性に大きな影響を及ぼすことになる。
【００３６】
また、このような異常状態を確認し得た場合にあっては、異常領域１または異常領域２に位置している回転子３５ｃを正常領域内に復帰させることはできず、異常状態を確認した後には、給水流量調整弁３０の使用を中止して、給水流量調整弁３０を速やかに正常な給水流量調整弁に交換するか、弁機構部３０ａを構成する異常状態にあるホール素子を確認する点検を行い、確認後にこれを修理または交換しなければならない。
【００３７】
これに対して、本発明に係る当該流量調整装置においては、給水流量調整弁３０の回転子３５ｃの現在位置が回転位置表示装置２０ｂによって常時表示されていることから、回転位置表示装置２０ｂを視認することにより、異常状態が発生しているホール素子を容易に確認することができる。回転子３５ｃが異常領域１に位置している場合には、ホール素子３６ｂが異常状態にあり、回転子３５ｃが異常領域２に位置している場合には、ホール素子３６ｃが異常状態にあることを確認することができる。回転子３５ｃが異常領域１または異常領域２にある場合には、電動モータ３４を手動で駆動させる各駆動スイッチ２２，２３のいずれかをスイッチ操作する。これにより、電動モータ３４は各駆動スイッチ２２，２３のスイッチ操作の間だけ駆動されて、回転子３５ｃを異常領域１から正常領域に、または、異常領域２から正常領域に復帰させることができる。回転子３５ｃの正常領域への復帰は、回転位置表示装置２０ｂにより確認することができる。当該給水流量調整弁３０においては、回転子３５ｃの正常領域への復帰によって的確な流量調整の機能が復活し、所望の時間、給水流量調整弁３０の使用を継続することが可能となる。
【００３８】
また、当該流量調整装置においては、給水流量調整弁３０の回転子３５ｃの現在位置を確認することにより、異常状態にあるホール素子を容易に確認することができる。これにより、給水流量調整弁３０の使用後に、異常状態にあるホール素子を、正常なホール素子に交換する作業を速やかに行うことができて、給水流量調整弁３０の修理を短時間に済ますことがでる利点がある。
【図面の簡単な説明】
【００３９】
【図１】本発明の一実施形態に係る流量調整装置を装備した電解水生成装置を模式的に示す概略図である。
【図２】同流量調整装置を構成する給水流量調整弁の側面図である。
【図３】同給水流量調整弁の底面図である。
【図４】同給水流量調整弁を構成する弁機構部の縦断側面図である。
【図５】同給水流量調整弁を構成する駆動機構部を模式的に示す平面図（ａ）および側面図（ｂ）である。
【図６】同駆動機構部を構成する回転子の回転方向と各ホール素子の位置関係を展開して示す位置関係図である。
【図７】同回転子の回転位置を各ホール素子の配設位置と関連して表示する回転位置表示装置の模式図である。
【符号の説明】
【００４０】
１０ａ…有隔膜電解槽、１０ｂ…塩水タンク、１１…供給ポンプ、１２…供給管路、１３ａ，１３ｂ…電極、１４…直流電源、１５ａ，１５ｂ…導出管路、１６ａ…電流検出センサ、１６ｂ…塩濃度検出センサ、１７ａ…チェック弁、１７ｂ…電磁開閉弁、Ｒ1，Ｒ2…電解室、２０ａ…制御装置、２０ｂ…回転位置表示装置、２１，２２，２３…スイッチ、３０…給水流量調整弁、３０ａ…弁機構部、３０ｂ…駆動機構部、３０ｃ…流量検出センサ、３１…弁ハウジング、３１ａ…第１内孔、３１ｂ…第２内孔、３２…弁本体、３２ａ…弁体、３３…ナット、３４…電動モータ、３５ａ…駆動ギヤ、３５ｂ…減速ギヤ列、３５ｃ…回転体、３６ａ…マグネット、３６ｂ，３６ｃ…ホール素子、３７ａ…ケース、３７ｂ…ロータ、３８…検知部。
【図１】
2007107685.tif 000003
【図２】
2007107685.tif 000004
【図３】
2007107685.tif 000005
【図４】
2007107685.tif 000006
【図５】
2007107685.tif 000007
【図６】
2007107685.tif 000008
【図７】
2007107685.tif 000009